(57)【要約】【課題】ログ収集周期に関わらず、その収集期間内の受信電界強度の変動量を精度よく把握でき、Ａ／Ｄ変換周期に関わらず、ログ情報量の増大を最小限に抑える事ができ、障害原因探査を効率的に行える監視装置の実現。【解決手段】無線伝送システムの監視装置において、受信側装置で、少なくとも受信電界強度を表すログ情報を所定間隔で収集する際、当該ログ情報収集間隔内における受信電界強度情報の最大値および最小値を収集し、それらの値を当該ログ情報収集時点の受信電界強度のログとして記録するようにしたものである。また、少なくとも受信電界強度を表すログ情報を所定間隔で収集する際、あるログ情報収集時点から次のログ情報収集時点間の受信電界強度アナログ電圧値を、前記ログ情報収集間隔の数十分の１より短い周期でＡ／Ｄ変換し、当該ログ情報収集間隔内における受信電界強度情報の最大値、最小値をログとして出力、記録するようにしたものである。【選択図】  図１
2009055256.tif 000002
【特許請求の範囲】
【請求項１】
無線伝送システムの監視装置において、
受信側装置で、少なくとも受信電界強度を表すログ情報を所定間隔で収集する際、
当該ログ情報収集間隔内における受信電界強度情報の最大値および最小値を収集し、それらの値を当該ログ情報収集時点の受信電界強度のログとして記録することを特徴とする無線伝送システムにおけるログ情報収集、記録方法。
【請求項２】
無線伝送システムの監視装置において、
受信側装置で、少なくとも受信電界強度を表すログ情報を所定間隔で収集する際、
あるログ情報収集時点から次のログ情報収集時点間の受信電界強度アナログ電圧値を、前記ログ情報収集間隔の数分の１より短い周期でＡ／Ｄ変換し、当該ログ情報収集間隔内における受信電界強度情報の最大値、最小値をログとして出力、記録することを特徴とする無線伝送システムにおけるログ情報収集、記録方法。
【発明の詳細な説明】
【技術分野】
【０００１】
本発明は、無線伝送システムの監視装置に係り、特に、アラーム情報などのステータスデータの他に、受信電界強度情報などのテレメータデータを含むログを記録する無線伝送システムにおけるログ情報収集、記録方法に関するものである。
【背景技術】
【０００２】
放送局で用いられるデジタルＳＴＬ(Studio to Transmitter Link)では、障害発生時の現用機／予備機の切替制御を行う他、障害原因探査のためのログ情報を記録する監視制御板を有している。
ここで、デジタル放送機器の遠方監視制御装置の標準仕様が、全国デジタル送信設備検討会オレンジブックＤＴＳ４００−００１(非特許文献１)により規定されており、その中でアラーム情報の他に、テレメータデータを含むログを記録する機能がある。
デジタルＳＴＬ受信装置の監視制御板では、テレメータデータとして受信電界強度情報を記録する場合が多い。無線伝送においては、フェージングや降雨減衰などの回線変動によって障害が発生する場合があり、受信電界強度のログは原因調査における重要な情報である。
デジタルＳＴＬ受信装置での受信電界強度情報収集、記録システムの構成の一例を図３に示す。
受信変換器１では、アンテナ４から受信した信号を検波し、その受信電界強度を示す情報として、アナログ電圧値を監視制御板２へ出力する。
監視制御板２では、受信電界強度アナログ電圧値をＡ／Ｄ変換し、アラーム情報などの他のログと共に、一定間隔毎にＬＡＮなどを介してパソコン３へ出力する。パソコン３では、受信したログをハードディスクなどに保存する。
監視制御板２における受信電界強度情報処理タイミングチャートの一例を図２に示す。図２では、１秒間隔で受信電界強度情報を収集し、ＬＡＮへ出力する例である。
監視制御板２は、１秒毎に収集した受信電界強度アナログ電圧値をＡ／Ｄ変換し、必要に応じてデシベル単位に変換した後、アラーム情報等と共にログをＬＡＮに出力する。
【非特許文献１】全国デジタル送信設備検討会オレンジブックＤＴＳ４００−００１
【特許文献１】特開２００６−６７０４７公報
【発明の開示】
【発明が解決しようとする課題】
【０００３】
従来の技術では、情報を収集する時点での受信電界強度情報のみを扱うため、収集時点以外で起きた受信電界強度の変動は無視される。従って、収集時点以外で実際に受信電界強度変動による障害が起こっても、記録したログの情報ではその変動が捕らえられず、障害調査に支障をきたす場合がある。
この変動を精度よく捕らえようとする方法として収集間隔を短くすることが考えられるが、間隔を短くするに従ってログの情報量が増大する。その場合、パソコン３のハードディスクなどの容量限界によりログの保持期間が短くなり、頻繁にログを外部記録媒体に移し、ログの記録領域を空ける必要が出てくる。
特に、デジタルＳＴＬなどの受信局は山頂部に設置されることが多く、パソコン３に保存されたログ情報を吸い上げるために受信局へ向かう頻度が増すと、非常に多くの労力を使うことになる。
本発明はこれらの欠点を除去し、ログ収集周期に関わらず、その収集期間内の受信電界強度の変動量を精度よく把握でき、また、Ａ／Ｄ変換周期に関わらず、ログ情報量の増大を最小限に抑える事ができ、障害原因探査を効率的に行える監視装置の実現を目的とするものである。
【課題を解決するための手段】
【０００４】
本発明は上記目的を達成するために、無線伝送システムの監視装置において、受信側装置で、少なくとも受信電界強度を表すログ情報を所定間隔で収集する際、当該ログ情報収集間隔内における受信電界強度情報の最大値および最小値を収集し、それらの値を当該ログ情報収集時点の受信電界強度のログとして記録するようにしたものである。
また、無線伝送システムの監視装置において、受信側装置で、少なくとも受信電界強度を表すログ情報を所定間隔で収集する際、あるログ情報収集時点から次のログ情報収集時点間の受信電界強度アナログ電圧値を、前記ログ情報収集間隔の数十分の１より短い周期でＡ／Ｄ変換し、当該ログ情報収集間隔内における受信電界強度情報の最大値、最小値をログとして出力、記録するようにしたものである。
【発明の効果】
【０００５】
本発明によれば、ログ収集周期に関わらず、その収集期間内の受信電界強度の最大値、最小値を記録することでその変動量を精度よく把握でき、また、Ａ／Ｄ変換周期に関わらず、ログ情報量の増大を最小限に抑える事ができることで、障害原因探査を効率的に行える監視装置を提供することができる。
【発明を実施するための最良の形態】
【０００６】
本発明の無線伝送システム、例えば、図３のデジタルＳＴＬ受信装置における受信電界強度情報収集、記録方法の一実施例について図１を用いて説明する。
図１は、デジタルＳＴＬ受信装置の監視制御板２における受信電界強度情報処理タイミングチャートの一例である。ここで、受信電界強度アナログ電圧のＡ／Ｄ変換は、例えば、０．０１秒毎に行い、従来技術と同じく１秒間隔で受信電界強度情報を収集し、ＬＡＮへ出力する例である。
前述のように、受信変換器１では、アンテナ４から受信した信号を検波し、その受信電界強度を示す情報として、アナログ電圧値を監視制御板２へ出力する。
監視制御板２では、受信電界強度アナログ電圧値をＡ／Ｄ変換し、アラーム情報などの他のログと共に、一定間隔毎にＬＡＮなどを介してパソコン３へ出力する。パソコン３では、受信したログをハードディスクなどに保存する。
本発明では、監視制御板２において、図１に示すように、例えば、１秒間隔で受信電界強度情報の収集を行う際、０．０１秒毎に受信電界強度アナログ電圧値をＡ／Ｄ変換し、この１秒間隔内におけるＡ／Ｄ変換データの最大値及び最小値の２つの値を保持する。
即ち、まず、図１に示す、あるログ収集時点ｔ０の次のＡ／Ｄ変換タイミングのＡ／Ｄ変換データを最大値、最小値にセットする。
そして、この最大値、最小値は、それ以降のＡ／Ｄ変換タイミングのＡ／Ｄ変換データと比較し、更新を行う。この処理を次の収集時点ｔ１まで繰り返す。
そして、次の収集時点ｔ１になった時点でのＡ／Ｄ変換データの最大値、最小値を、必要に応じてデシベル単位に変換した後、アラーム情報などと共にログ情報をＬＡＮに出力する。
このように、ログ収集間隔に関わらず、短い周期でＡ／Ｄ変換を行い、そのログ収集間隔内のＡ／Ｄ変換データの最大値、最小値を得ることによって、受信電界強度の変動量を精度よく把握することが可能となる。
また、Ａ／Ｄ変換周期に関わらず、ログ収集１回分の情報量増分は、受信電界強度情報１データ分に過ぎない。
また、他の実施例として、常に０．０１秒毎にＡ／Ｄ変換、ログ出力を行い、パソコン３のソフトウェアにて受信電界強度情報の最大値、最小値を求め、１秒周期でログを保存する方法でも同様の効果が得られ、監視制御板２、パソコン３の処理負荷、および、ＬＡＮのトラフィックとの兼ね合いで、その処理方法を選択すればよい。
なお、上記実施例は、１秒間隔で受信電界強度情報の収集を行い、０．０１秒毎に受信電界強度アナログ電圧値をＡ／Ｄ変換する場合について説明したが、本発明はこれに限定されるものではなく、ログ情報収集間隔の数分の１より短い周期でＡ／Ｄ変換し、当該ログ情報収集間隔内における受信電界強度情報の最大値、最小値をログとして出力、記録するものであれば良いことは言うまでもない。
【図面の簡単な説明】
【０００７】
【図１】本発明の受信電界強度情報収集、記録方法の一実施例を示すタイミングチャート。
【図２】従来の受信電界強度情報収集、記録方法の一例を示すタイミングチャート。
【図３】ＳＴＬ受信装置の受信電界強度情報収集、記録システムの一例を示すブロック図。
【符号の説明】
【０００８】
１：受信変換器、２：監視制御板、３：パソコン、４：アンテナ
【図１】
2009055256.tif 000003
【図２】
2009055256.tif 000004
【図３】
2009055256.tif 000005